(57)【要約】【課題】運搬作業の効率を向上させると共に、作業コストの低減を図ることができるデッキプレートを提供する。【解決手段】底板１４と、底板１４の上面に、底板１４の上面に対して回動可能に設けられた配筋構造１５と、配筋構造１５を回動不能にして、その位置を固定するための固定部材２０と、を備えた。【選択図】図１
2020139288.tif 000002
【特許請求の範囲】
【請求項１】
底板と、
前記底板の上面に、前記底板の上面に対して回動可能に設けられた配筋構造と、
前記配筋構造を回動不能にして、その位置を固定するための固定部材と、を備えた
ことを特徴とするデッキプレート。
【請求項２】
前記配筋構造は、
前記底板の上面の上方に、前記底板の長さ方向と略平行に伸びる上弦材と、
前記上弦材の下方に、前記底板の上面に沿って、前記上弦材と略平行に伸びる下弦材と、
前記上弦材と前記下弦材の間を繋ぐように設けられたラチス材と、を備え、
前記下弦材が、前記底板の上面に対して回動可能に設けられ、
前記固定部材によって前記配筋構造の位置が固定され、前記上弦材が前記底板の上面より上方に所定の間隔をおいて配置されるよう構成された
ことを特徴とする請求項１に記載のデッキプレート。
【請求項３】
前記配筋構造は、前記上弦材と略平行に伸び、前記上弦材と前記下弦材の間に設けられた中弦材を備え、
前記ラチス材は、前記上弦材、前記下弦材、及び前記中弦材のそれぞれの間を繋ぐように設けられた
ことを特徴とする請求項２に記載のデッキプレート。
【請求項４】
前記固定部材は、前記底板の上面に対して回動可能に設けられ、
前記固定部材の支持部が前記配筋構造の前記上弦材に接触して支持することにより、前記配筋構造の位置が固定されるよう構成された
ことを特徴とする請求項２又は３に記載のデッキプレート。
【請求項５】
前記固定部材は、前記配筋構造に対して着脱可能に設けられ、
前記固定部材を前記配筋構造に取り付けることにより、前記配筋構造の位置が固定されるよう構成された
ことを特徴とする請求項２又は３に記載のデッキプレート。
【発明の詳細な説明】
【技術分野】
【０００１】
本発明は、建築構造物の床スラブのような鉄筋コンクリートの構造物を形成するために用いられるデッキプレートに関するものである。
【背景技術】
【０００２】
建築構造物の上階と下階（下階が無い場合は基礎部）の間に設けられる板状の床構造であって、それ自体が垂直方向の荷重を支えて建築構造物の梁や柱に伝達するものを床スラブと呼び、Ｓ造やＳＲＣ造等の建築構造物においては、鉄筋コンクリート構造の床スラブを形成するために、コンクリートの打設時にはコンクリートの型枠として機能し、コンクリートの硬化後はそのまま床スラブの一部となるような、床スラブ用のデッキプレートが用いられていた（例えば特許文献１の図１参照）。
【０００３】
図６及び図７は、床スラブ用の従来のデッキプレート２について説明するために参照する図である。
【０００４】
従来のデッキプレート２は、図６に示すように、底板４と、底板４の上面に設けられた複数（２つ）の配筋構造５を備えていた。
【０００５】
デッキプレート２の底板４は、図６（ａ）に示すように、図中上下方向に所定の厚さを有する略長方形の板状に形成され、その幅方向（図中左右方向）の一方の端部には連結雄部４ａが、他方の端部には連結雌部４ｂが、それぞれ底板４の長さ方向（図の紙面に垂直方向）に沿って設けられていた。
【０００６】
デッキプレート２の配筋構造５は、図６（ａ）に示すように、底板４の長さ方向（図の紙面に垂直方向）と略平行に伸びる丸棒状の上弦材６と、上弦材６と略平行に伸びる丸棒状の部材であって、上弦材６より図中下方に、上弦材６を挟んで底板４の幅方向（図中左右方向）に略左右対称に設けられた２つの下弦材７と、これらの上弦材６と２つの下弦材７を繋ぐように略ハの字状に設けられた２つのラチス材８を備えていた。
【０００７】
それぞれのラチス材８は、図６（ｂ）に示すように、細長い丸棒状の部材をその長さ途中の複数の位置で曲げて、山部８ａと谷部８ｂが傾斜部８ｃを介して交互に連続するようなジグザグ状に形成されていた。
【０００８】
そして、２つのラチス材８は、図６（ａ）に示すように、それぞれの山部８ｂが上弦材６の外周面を図中左右両側から挟み込むように配置されると共に、それぞれの傾斜部３ｃの長さ途中部に、２つの下弦材７の外周面がそれぞれ接触するように配置され、それぞれの接触部が溶接等により固定されていた。そして、２つのラチス材８のそれぞれの谷部８ｂが、底板４の上面に沿うように曲げられていた。
【０００９】
このような配筋構造５が、底板４の上面に複数（２つ）設けられ、それぞれの配筋構造５の２つのラチス材８のそれぞれの谷部８ｂと、底板４の上面の接触部が、溶接等により固定されていた。
【００１０】
これにより、配筋構造５の上弦材６及び２つの下弦材７が、底板４の上面より上方に所定の間隔をおいて配置されるようになっていた。
【００１１】
このような従来のデッキプレート２は、十分な強度や耐食性を有する鋼材を用いて形成され、鋼板により形成された底板４の上面に、棒鋼により形成された上弦材６及び下弦材７、ラチス材８からなる配筋構造５が、溶接等により固定されることにより形成されていた。
【００１２】
このような従来のデッキプレート２を用いて、鉄筋コンクリート構造の床スラブを形成するには、図７に示すように、まず、形成する床スラブの大きさに合わせて、複数のデッキプレート２をその幅方向（図中左右方向）に並べて配置する。
【００１３】
このとき、それぞれのデッキプレート２の底板４の連結雄部４ａが、これと隣り合って配置された別のデッキプレート２の底板４の連結雌部４ｂに連結され、それにより、全体で一枚の大きなデッキプレートが形成される。
【００１４】
そして、図７に示すように、この一枚の大きなデッキプレートの外周部を囲むように型枠９を設け、コンクリート３を、型枠９とデッキプレート２の底板４に囲まれたその内側部に、デッキプレート２の配筋構造５がコンクリート３の内部に配置されるような厚さで打設する。
【００１５】
そして、コンクリートが乾燥して硬化した後に型枠９を取り外すことにより、デッキプレート２の底板４が底部となり、配筋構造５の上弦材６及び下弦材７がコンクリート３の内部に配置された板状の床スラブ１が形成され、デッキプレート２は床スラブ１と一体化して、そのまま床スラブ１の一部として使用される。
【００１６】
このように、従来のデッキプレート２は、コンクリート３が打設されてから硬化するまでの間はコンクリートの型枠として機能し、コンクリート３が硬化した後は、そのまま床スラブ１の一部として使用されるようになっていた。
【先行技術文献】
【特許文献】
【００１７】
【特許文献１】特開２０１３−１６３９１４号公報
【発明の概要】
【発明が解決しようとする課題】
【００１８】
しかしながら、上述したような従来のデッキプレート２では、一度に多数のデッキプレート２を運搬することができないため、運搬作業の効率が低下し、作業コストが増大するというという問題があった。
【００１９】
すなわち、従来のデッキプレート２は、それ自体は比較的重量の軽い部材であったが、その配筋構造５が丸棒状の部材（上弦材６、下弦材７、ラチス材８）を組み合わせて形成されているため、その高さ方向（図６（ａ）中上下方向）に占める寸法が大きく、非常に嵩張る部材となっていた。
【００２０】
そして、このような従来のデッキプレート２は、一般的な建築現場で使用される場合、予め工場等で必要な数のデッキプレート２を生産し、それらをトラック等によって運搬して建築現場に搬入していた。
【００２１】
そのため、高さ方向に嵩張るデッキプレート２をトラック等に積み込む際に、トラックの荷台等に積載可能な高さ寸法の限界までデッキプレート２を積み重ねたとしても、積み込んだデッキプレート２の総重量が、トラック等の最大積載重量に対してはるかに小さくなってしまい、トラック等の積載重量に無駄が生じていた。
【００２２】
それにより、大規模な建築現場で使用するための多数のデッキプレート２を建築現場に搬入する際には、上記のような積載重量に無駄が生じた状態のトラック等を用いて、デッキプレート２の運搬作業を繰り返し行うことになり、その分、運送費がかかるだけでなく、トラック等への積み込みや、建築現場での積み下ろしの作業もその度に行う必要があるため、運搬作業の効率が低下し、作業全体のコストの増大を招いていた。
【００２３】
そこで本発明は、上記問題点に鑑みて、運搬作業の効率を向上させると共に、作業コストの低減を図ることができるデッキプレートを提供することを課題とするものである。
【課題を解決するための手段】
【００２４】
上記課題を解決するために、本発明のデッキプレートは、
底板と、
前記底板の上面に、前記底板の上面に対して回動可能に設けられた配筋構造と、
前記配筋構造を回動不能にして、その位置を固定するための固定部材と、を備えた
ことを特徴とするものである。
【００２５】
また、本発明のデッキプレートは、
前記配筋構造は、
前記底板の上面の上方に、前記底板の長さ方向と略平行に伸びる上弦材と、
前記上弦材の下方に、前記底板の上面に沿って、前記上弦材と略平行に伸びる下弦材と、
前記上弦材と前記下弦材の間を繋ぐように設けられたラチス材と、を備え、
前記下弦材が、前記底板の上面に対して回動可能に設けられ、
前記固定部材によって前記配筋構造の位置が固定され、前記上弦材が前記底板の上面より上方に所定の間隔をおいて配置されるよう構成された
ことを特徴とするものである。
【００２６】
また、本発明のデッキプレートは、
前記配筋構造は、前記上弦材と略平行に伸び、前記上弦材と前記下弦材の間に設けられた中弦材を備え、
前記ラチス材は、前記上弦材、前記下弦材、及び前記中弦材のそれぞれの間を繋ぐように設けられた
ことを特徴とするものである。
【００２７】
また、本発明のデッキプレートは、
前記固定部材は、前記底板の上面に対して回動可能に設けられ、
前記固定部材の支持部が前記配筋構造の前記上弦材に接触して支持することにより、前記配筋構造の位置が固定されるよう構成された
ことを特徴とするものである。
【００２８】
また、本発明のデッキプレートは、
前記固定部材は、前記配筋構造に対して着脱可能に設けられ、
前記固定部材を前記配筋構造に取り付けることにより、前記配筋構造の位置が固定されるよう構成された
ことを特徴とするものである。
【発明の効果】
【００２９】
このような本発明のデッキプレートによれば、
底板と、
前記底板の上面に、前記底板の上面に対して回動可能に設けられた配筋構造と、
前記配筋構造を回動不能にして、その位置を固定するための固定部材と、を備えたことにより、
運搬作業の効率を向上させると共に、作業コストの低減を図ることができる。
【図面の簡単な説明】
【００３０】
【図１】本発明の第１の実施の形態に係るデッキプレート１２を示す図であって、図１（ａ）はその正面図であり、図１（ｂ）はその側面図である。
【図２】図１に示すデッキプレート１２の配筋構造１５を折り畳む手順を説明するための図であって、図２（ａ）は固定部材２０を省略したデッキプレート１２の正面図であり、図２（ｂ）はデッキプレート１２の側面図である。
【図３】本発明の第２の実施の形態に係るデッキプレート３２を示す図であって、図３（ａ）はその正面図であり、図３（ｂ）はその側面図である。
【図４】本発明の第３の実施の形態に係るデッキプレート４２を示す図であって、図４（ａ）はその正面図であり、図４（ｂ）はその側面図である。
【図５】デッキプレート１２の固定部材２０の他の形態を示す概略図である。
【図６】床スラブ用の従来のデッキプレート２を示す図であって、図６（ａ）はその正面図であり、図６（ｂ）はその側面図である。
【図７】従来のデッキプレート２を用いて床スラブ１を形成するための手順を説明するための、その一部が省略された概略正面図である。
【発明を実施するための形態】
【００３１】
以下、本発明に係るデッキプレートを実施するための形態について、図面に基づいて具体的に説明する。
【００３２】
図１及び図２は、本発明の第１の実施の形態に係るデッキプレート１２について説明するために参照する図である。なお、図６及び図７に示した従来のデッキプレート２と同様の部分には、一部を除き同じ符号を付して説明するものとする。
【００３３】
本実施の形態に係るデッキプレート１２は、図１に示すように、底板１４と、底板１４の上面に設けられた複数の配筋構造１５と、それぞれの配筋構造１５の、底板１４の長さ方向（図１（ｂ）中左右方向）の両端部に設けられた固定部材２０を備えている。
【００３４】
デッキプレート１２の底板１４は、図１（ａ）に示すように、図中上下方向に所定の厚さを有し、図の紙面に垂直方向に所定の長さを有する略長方形の板状に形成され、その長さ方向に対して直角な幅方向（図中左右方向）の一方（図中左側）の端部には、連結雄部１４ａが底板１４の長さ方向に沿って設けられ、幅方向の他方の端部には、連結雌部１４ｂ（図示せず）が底板１４の長さ方向に沿って設けられている。
【００３５】
これらの連結雄部１４ａ及び連結雌部１４ｂは、それぞれの断面形状が互いに係合するようなフック状に形成されており、従来のデッキプレート２の底板４に設けられた連結雄部４ａ及び連結雌部４ｂ（図６（ａ）参照）と同じ様な形状に形成されている。
【００３６】
これにより、複数のデッキプレート１２をその幅方向に並べて配置した際に、それぞれのデッキプレート１２の底板１４の連結雄部１４ａを、これと隣り合って配置された別のデッキプレート１２の底板１４の連結雌部１４ｂに係合させて、複数のデッキプレート１２をその幅方向に連結することができるようになっている。
【００３７】
デッキプレート１２の配筋構造１５は、図１（ａ）に示すように、底板１４の長さ方向（図の紙面に垂直方向）と略平行に伸びる丸棒状の上弦材１６及び下弦材１７と、これらの上弦材１６と下弦材１７を繋ぐように設けられたラチス材１８を備えている。
【００３８】
上弦材１６は、底板１４の上面より上方に所定の間隔をおいて、底板１４の長さ方向と略平行に伸びるように配置され、下弦材１７は、上弦材１６より下方に、底板１４の上面に沿って、上弦材１６と略平行に伸びるように配置されている。
【００３９】
ラチス材１８は、図１（ｂ）に示すように、細長い丸棒状の部材をその長さ途中の複数の位置で曲げて、山部１８ａと谷部１８ｂが傾斜部１８ｃを介して交互に連続するようなジグザグ状に形成されている。
【００４０】
そして、ラチス材１８は、図１（ａ）に示すように、その山部１８ｂが上弦材１６の図中下側の外周面に接触し、その谷部１８ｂが下弦材１７の図中上側の外周面に接触するように配置され、それぞれの接触部が溶接等により固定されている。
【００４１】
そして、このような配筋構造１５が、図１（ａ）に示すように、底板１４の上面に複数設けられ、これら複数の配筋構造１５は、底板１４の幅方向（図中左右方向）に互いに所定の間隔をおいて略平行に並んで配置されている。
【００４２】
そして、それぞれの配筋構造１５は、図１（ｂ）に示すように、底板１４の上面に沿って配置された下弦材１７の長さ方向（図中左右方向）の途中部に設けられた複数の軸受部材１９によって、底板１４の上面に対して、下弦材１７の軸線回りに回動可能に設けられている。
【００４３】
軸受部材１９は、図１（ａ）に示すように、所定の厚さを有する細長い板状の部材の長さ方向（図中左右方向）の両端部が底板１４の上面に固定されると共に、その長さ中央部が、下弦材１７の外周面に沿うように、下弦材１７の直径よりわずかに大きな円筒状に曲げられて形成され、その円筒形状の内部に下弦材１７が緩く挿通されている。
【００４４】
デッキプレート１２の固定部材２０は、図１（ａ）に示すように、所定の長さを有する丸棒状の部材を、図中下側に開口する略Ｃ字形に曲げたような形状に形成され、略Ｃ字形の開口部と反対側（図中上側）の長さ部分には、水平方向（図中左右方向）に伸びる支持部２０ａが形成され、固定部材２０の略Ｃ字形の開口部を挟んで配置される固定部材２０の両端部には、水平方向に伸びる軸部２０ｂがそれぞれ形成されている。
【００４５】
そして、固定部材２０は、図１（ａ）に示すように、その支持部２０ａが、デッキプレート１２の底板１４の上面に設けられた２つの配筋構造１５の、それぞれの上弦材１６の図中下方の外周面に接触して支持すると共に、それぞれの軸部２０ｂが、底板１４の上面に沿って、底板１４の幅方向（図中左右方向）に略平行に配置されている。
【００４６】
そして、固定部材２０は、それぞれの軸部２０ｂに設けられた軸受部材２１によって、底板１４の上面に対して、軸部２０ｂの軸線回りに回動可能に設けられている。
【００４７】
軸受部材２１は、図１（ｂ）に示すように、所定の厚さを有する細長い板状の部材の長さ方向（図中左右方向）の両端部が底板１４の上面に固定されると共に、その長さ中央部が、固定部材２０の軸部２０ｂの外周面に沿うように、軸部２０ｂの直径よりわずかに大きな円筒状に曲げられて形成され、その円筒形状の内部に固定部材２０の軸部２０ｂが緩く挿通されている。
【００４８】
そして、このような固定部材２０が、図１（ｂ）に示すように、底板１４の上面に設けられた配筋構造１５の長さ方向（図中左右方向）の両端部に設けられている。
【００４９】
これにより、デッキプレート１２は、固定部材２０の支持部２０ａによって、底板１４の上面に対して回動可能に設けられた配筋構造１５の上弦材１６の長さ両端部が支持されるため、配筋構造１５が回動できなくなって配筋構造１５の位置が固定され、それにより、配筋構造１５の上弦材１６が底板１４の上面より上方に所定の間隔をおいて配置されるようになっている。
【００５０】
このような本実施の形態に係るデッキプレート１２は、十分な強度や耐食性を有する鋼材を用いて形成され、鋼板により形成された底板１４の上面に、棒鋼により形成された上弦材１６、下弦材１７、ラチス材１８からなる配筋構造１５と、棒鋼により形成された固定部材２０が、鋼板により形成された軸受部材１９、２１を用いて回動可能に取り付けられることにより、形成することができる。
【００５１】
そして、このような本実施の形態に係るデッキプレート１２は、配筋構造１５を底板１４の上面に折り畳むことにより、デッキプレート１２の高さ方向に占める寸法を小さくすることができる。
【００５２】
すなわち、図２（ｂ）に示すように、固定部材２０を、その支持部２０ａが配筋構造１５の上弦材１６から離れるように回動させることにより、配筋構造１５を、下弦材１７の軸線回りに回動させることができるようになるため、図２（ａ）に示すように、底板１４の上面に設けられた複数の配筋構造１５を、それぞれの上弦材１６が底板１４に接近するように回動させて折り畳むことができ、底板１４の上面に設けられた全ての配筋構造１５を折り畳むことにより、デッキプレート１２の高さ方向に占める寸法を小さくすることができる。
【００５３】
そして、デッキプレート１２の高さ方向に占める寸法が小さくなるため、デッキプレート１２をトラック等に積み込む際に、より多くのデッキプレート１２を積み重ねることができ、それにより、運搬作業の回数を減らして、その分の運送費を削減することができると共に、その分のトラック等への積み込みや建築現場での積み下ろしの作業の回数も減らすことができる。
【００５４】
このように、本発明の実施の形態に係るデッキプレート１２によれば、運搬作業の効率を向上させると共に、作業コストの低減を図ることができる。
【００５５】
図３は、本発明の第２の実施の形態に係るデッキプレート３２について説明するために参照する図である。なお、前記第１の実施の形態に係るデッキプレート１２と同様の部分には、一部を除き同じ符号を付して説明するものとする。
【００５６】
本実施の形態に係るデッキプレート３２は、前記第１の実施の形態に係るデッキプレート１２における配筋構造１５（図１（ａ）参照）の代わりに、図３（ａ）に示すような配筋構造３５を備えている点において、前記第１の実施の形態に係るデッキプレート１２とはその構成が異なるものである。
【００５７】
デッキプレート３２の配筋構造３５は、図３（ａ）に示すように、前記第１の実施の形態に係るデッキプレート１２の配筋構造１５と同様に、底板１４の長さ方向（図の紙面に垂直方向）と略平行に伸びる丸棒状の上弦材１６及び下弦材１７と、これらの上弦材１６と下弦材１７の間を繋ぐように設けられたラチス材１８を備えている。
【００５８】
そしてこれらに加えて、配筋構造３５は、上弦材１６と略平行に伸び、上弦材１６と下弦材１７の略中間の高さ位置に設けられた丸棒状の中弦材３６を備え、この中弦材３６は、ラチス材１８のそれぞれの傾斜部１８ｃの長さ途中部に、中弦材３６の外周面が接触するように配置され、溶接等によって固定されている。
【００５９】
その他の構成は、前記第１の実施の形態に係るデッキプレート１２と同様であるため、このような本発明の第２の実施の形態に係るデッキプレート３２を用いることによっても、運搬作業の効率を向上させると共に、作業コストの低減を図ることができる。
【００６０】
そして、このような配筋構造３５を備えた、本実施の形態に係るデッキプレート３２においては、上弦材１６、下弦材１７、及び中弦材３６が、底板１４の上面より上方に所定の間隔をおいて配置されるようになっているため、コンクリートの内部に配置される弦材の数を増やすことができ、鉄筋コンクリート構造の強度を向上することができる。
【００６１】
図４は、本発明の第３の実施の形態に係るデッキプレート４２について説明するために参照する図である。なお、前記第１の実施の形態に係るデッキプレート１２と同様の部分には、一部を除き同じ符号を付して説明するものとする。
【００６２】
本実施の形態に係るデッキプレート４２は、前記第１の実施の形態に係るデッキプレート１２における配筋構造１５（図１（ａ）参照）の代わりに、図４（ａ）に示すような配筋構造４５を備えている点において、前記第１の実施の形態に係るデッキプレート１２とはその構成が異なるものである。
【００６３】
デッキプレート４２の配筋構造４５は、図４（ａ）に示すように、前記第１の実施の形態に係るデッキプレート１２の配筋構造１５と同様に、底板１４の長さ方向（図の紙面に垂直方向）と略平行に伸びる丸棒状の上弦材１６及び下弦材１７を備えている。
【００６４】
そしてこれらに加えて、配筋構造３５は、上弦材１６と略平行に伸び、上弦材１６と下弦材１７の略中間の高さ位置に設けられた丸棒状の中弦材４６と、これらの上弦材１６と中弦材４６の間、及び、中弦材４６と下弦材１７の間をそれぞれ繋ぐように設けられた上ラチス材４８と下ラチス材５０を備えている。
【００６５】
上ラチス材４８は、図４（ｂ）に示すように、細長い丸棒状の部材をその長さ途中の複数の位置で曲げて、山部４８ａと谷部４８ｂが傾斜部４８ｃを介して交互に連続するようなジグザグ状に形成され、図４（ａ）に示すように、その山部４８ｂが上弦材１６の図中下側の外周面に接触し、その谷部４８ｂが中弦材４６の図中上側の外周面に接触するように配置され、それぞれの接触部が溶接等により固定されている。
【００６６】
また、下ラチス材５０は、図４（ｂ）に示すように、細長い丸棒状の部材をその長さ途中の複数の位置で曲げて、山部５０ａと谷部５０ｂが傾斜部５０ｃを介して交互に連続するようなジグザグ状に形成され、図４（ａ）に示すように、その山部５０ｂが中弦材４６の図中下側の外周面に接触し、その谷部５０ｂが下弦材１７の図中上側の外周面に接触するように配置され、それぞれの接触部が溶接等により固定されている。
【００６７】
その他の構成は、前記第１の実施の形態に係るデッキプレート１２と同様であるため、このような本発明の第３の実施の形態に係るデッキプレート４２を用いることによっても、運搬作業の効率を向上させると共に、作業コストの低減を図ることができる。
【００６８】
そして、このような配筋構造４５を備えた、本実施の形態に係るデッキプレート３２においては、上弦材１６、下弦材１７、及び中弦材４６が、底板１４の上面より上方に所定の間隔をおいて配置されるようになっているため、コンクリートの内部に配置される弦材の数を増やすことができ、鉄筋コンクリート構造の強度を向上することができる。
【００６９】
また、このような配筋構造４５を備えた、本実施の形態に係るデッキプレート４２においては、図４（ａ）に示すように、前記第２の実施の形態に係るデッキプレート３２に比べて、配筋構造４５の水平方向（図中左右方向）の寸法が小さくなるため、配筋構造４５を底板１４の上面に折り畳んだ際のデッキプレート４２の高さ方向に占める寸法をより小さくすることができる。
【００７０】
なお、本発明は、前記実施の形態のみに限定されるものではなく、本発明の目的を達成することができる範囲内であれば、種々の変更が可能である。
【００７１】
例えば、前記第１の実施の形態に係るデッキプレート１２においては、底板１４は平坦な板状に形成されていたが、例えば、底板１４を補強するために、底板１４の上面や下面にリブが形成されていたり、底板１４自体が波板状に形成されていてもよい。
【００７２】
また、前記第１の実施の形態に係るデッキプレート１２においては、配筋構造１５のラチス材１８は、一つの細長い丸棒状の部材をジグザグ状に曲げて形成されていたが、上弦材１６と下弦材１７の間を繋ぐような形状であれば他のどのような形状であってもよく、また、ラチス材１８が複数の部材で構成されていてもよい。
【００７３】
また、前記第１の実施の形態に係るデッキプレート１２においては、細長い板状の部材を曲げて形成された軸受部材１９によって、配筋構造１５が底板１４の上面に取り付けられていたが、配筋構造１５は、底板１４の上面に対して、下弦材１７の軸線回りに回動可能であればどのような形態で取り付けられていてもよく、例えば、円筒状やリング状の軸受部材を用いてもよく、また、そのような軸受形状が底板１４の上面に予め一体的に形成されていてもよい。
【００７４】
また、前記第１の実施の形態に係るデッキプレート１２においては、略Ｃ字形に形成された固定部材２０が、底板１４の上面に回動可能に設けられていたが、固定部材によって、配筋構造１５が回動することができなくなって配筋構造１５の位置が固定され、それにより、配筋構造１５の上弦材１６が、底板１４の上面より上方に所定の間隔をおいて配置されるようにすることができればよいので、例えば、図５に示す固定部材６０，７０，８０のような、固定部材２０と異なる形態の固定部材が設けられていてもよい。
【００７５】
図５（ａ）に示す固定部材６０は、図１（ａ）に示す固定部材２０と同様に略Ｃ字形に形成されているが、固定部材６０の支持部６０ａの長さが、固定部材２０の支持部２０ａより長く形成され、それにより、固定部材６０を回動させた時に、支持部６０ａによって、底板１４の上面に設けられた３つの配筋構造１５の上弦材１６が支持されるため、上弦材１６が底板１４の上面より上方に所定の間隔をおいて配置されるようになっている。
【００７６】
図５（ｂ）に示す固定部材７０は、図１（ａ）に示す固定部材２０と同様に略Ｃ字形に形成されているが、固定部材７０の支持部７０ａの長さ途中部の図中下側の外周面に、配筋構造１５の上弦材１６の断面形状よりわずかに大きな凹部７０ｂが設けられ、それにより、固定部材７０を回動させた時に、凹部７０ｂに上弦材１６が係合して上弦材１６の左右方向の移動が制限されるため、上弦材１６が底板１４の上面より上方に所定の間隔をおいて配置されるようになっている。
【００７７】
図５（ｃ）に示す固定部材８０は、他の固定部材と同じ様に略Ｃ字形に形成されているが、他の固定部材のように底板１４に固定されておらず、配筋構造１５に対して着脱可能な部材として設けられている。
【００７８】
そして、固定部材８０には、図５（ｃ）に示すように、支持部８０ａの図中下側の外周面に、配筋構造１５の上弦材１６が係合する凹部８０ｂが設けられると共に、固定部材８０の略Ｃ字形の開口部を挟んで配置される固定部材８０の両端部分には、配筋構造１５の下弦材１７の外周面に係止する係止部８０ｃがそれぞれ設けられている。
【００７９】
そして、このような固定部材８０を、２つの配筋構造１５に後から取り付けることにより、凹部８０ｂに上弦材１６が係合して上弦材１６の左右方向の移動が制限されると共に、係止部８０ｃが下弦材１７に係止して固定部材８０の上下又は左右方向の移動も制限されるため、上弦材１６が底板１４の上面より上方に所定の間隔をおいて配置されるようになっている。
【００８０】
また、前記第２及び第３の実施の形態に係るデッキプレート３２，４２においては、図３（ａ）及び図４（ａ）に示すように、配筋構造３５，４５の中弦材３６，４６は、上弦材１６と下弦材１７の間に１つだけ設けられているが、中弦材３６，４６が、上弦材１６と下弦材１７の間に２つ以上設けられていてもよい。
【００８１】
また、前記第２の実施の形態に係るデッキプレート３２においては、図３（ａ）に示すように、配筋構造３５の中弦材３６がラチス材１８の図中左側に配置されているが、中弦材３６はラチス材１８の図中右側に配置されていてもよい。
【００８２】
また、前記第１ないし第３の実施の形態に係るデッキプレート１２，３２，４２は、図７に示すような床スラブ１を形成するために用いられるだけでなく、例えば壁材、柱材、屋根材等、他の鉄筋コンクリートの構造物を形成するために用いてもよい。
【符号の説明】
【００８３】
１  床スラブ
２  デッキプレート
３  コンクリート
４  底板
４ａ  連結雄部
４ｂ  連結雌部
５  配筋構造
６  上弦材
７  下弦材
８  ラチス材
８ａ  山部
８ｂ  谷部
８ｃ  傾斜部
９  型枠
１２  デッキプレート
１４  底板
１４ａ  連結雄部
１４ｂ  連結雌部
１５  配筋構造
１６  上弦材
１７  下弦材
１８  ラチス材
１８ａ  山部
１８ｂ  谷部
１８ｃ  傾斜部
１９  軸受部材
２０  固定部材
２０ａ  支持部
２０ｂ  軸部
２１  軸受部材
３２  デッキプレート
３５  配筋構造
３６  中弦材
４２  デッキプレート
４５  配筋構造
４６  中弦材
４８  上ラチス材
４８ａ  山部
４８ｂ  谷部
４８ｃ  傾斜部
５０  下ラチス材
５０ａ  山部
５０ｂ  谷部
５０ｃ  傾斜部
６０  固定部材
６０ａ  支持部
７０  固定部材
７０ａ  支持部
７０ｂ  凹部
８０  固定部材
８０ａ  支持部
８０ｂ  凹部
８０ｃ  係止部
【図１】
2020139288.tif 000003
【図２】
2020139288.tif 000004
【図３】
2020139288.tif 000005
【図４】
2020139288.tif 000006
【図５】
2020139288.tif 000007
【図６】
2020139288.tif 000008
【図７】
2020139288.tif 000009